(57)【要約】【課題】  粗粉とともに排出される微粉を低減することができ、かつ時間当たりの微粉の回収量を多くすることができる粉体篩分方法を提供する。【解決手段】  振動によって円形のスクリーン２６上の粉体を中心に向かって移動させる篩分振動モードと、振動によって円形のスクリーン２６上の粉体を外周に向かって移動させて排出する排出振動モードとを有する篩分装置１０を用い、篩分時間Ｘと排出時間Ｙとが０．１３Ｘ0.33≦Ｙ≦０．２８５７Ｘの条件を満たすように、篩分と排出とを交互に繰り返し、篩分の間、スクリーン面積当たりの平均供給速度が１０〜８０ｋｇ／（ｍｉｎ・ｍ2 ）となるように粉体をスクリーン２６上に供給し、篩分および排出の間、スクリーン２６上の粉体に超音波による振動を与える。【選択図】        図１
2005305386.tif 000002
【特許請求の範囲】
【請求項１】
加振手段による振動によって円形のスクリーン上の粉体を中心に向かって移動させる篩分振動モードと、加振手段による振動によって円形のスクリーン上の粉体を外周に向かって移動させて排出する排出振動モードとを有する篩分装置を用いた粉体篩分方法において、
篩分振動モードによる運転時間Ｘと排出振動モードによる運転時間Ｙとが下記式（１）の条件を満たすように、篩分振動モードによる運転と排出振動モードによる運転とを交互に繰り返し、
０．１３Ｘ0.33≦Ｙ≦０．２８５７Ｘ    （１）
篩分振動モードによる運転の間、スクリーン面積当たりの平均供給速度が１０〜８０ｋｇ／（ｍｉｎ・ｍ2 ）となるように、スクリーン上に粉体を供給し、
篩分振動モードによる運転および排出振動モードによる運転の間、前記加振手段による振動とは別に、スクリーン上の粉体に超音波による振動を与えることを特徴とする粉体篩分方法。
【発明の詳細な説明】
【技術分野】
【０００１】
本発明は、粉体、特にアクリルゾル用樹脂微粉末の篩分方法に関する。
【背景技術】
【０００２】
粉体の篩分に用いられる篩分装置としては、加振手段による振動によって円形のスクリーン上の粉体を中心に向かって移動させる篩分振動モードと、加振手段による振動によって円形のスクリーン上の粉体を外周に向かって移動させて排出する排出振動モードとを有するものが知られている（特許文献１）。
この篩分装置においては、篩分振動モードによる運転を所定時間行うことによって、スクリーン上に供給された粉体はスクリーンの中心に移動しながら篩分されて、スクリーンを通過した微粉は製品として回収される。微粉の回収後、スクリーン上に残った粗粉は、排出振動モードによる運転によってスクリーンの周縁に設けられた排出口から排出される。
【０００３】
ところで、アクリルゾル用樹脂微粉末は、液状の可塑剤に分散して使用され、塗付や成形などの加工方法により建築内壁材（壁紙）、軟質シート類、各種成形材料など使用されている。このため、アクリルゾル用樹脂微粉末に要求される性能としては、可塑剤に効率よく分散させるため粉末の粒子径が小さいこと、１次粒子同士の融着が進行していない嵩比重の値が低い微粉（体積平均粒子径８０μｍ以下、嵩比重０．４ｇ／ｃｃ以下）が好まれる。
このようなアクリルゾル用樹脂微粉末は、粒子径が小さいく、嵩比重が低い（平均粒子径８０μｍ以下、嵩比重０．４ｇ／ｃｃ以下）ため、粉末を取り扱い時に微粉同士がゆるく凝集した状態になりやすい。そのため、アクリルゾル用樹脂微粉末の製造工程では篩分工程が必要となり、この際の生産性と篩分精度の向上が課題となっている。
【０００４】
上記篩分装置を用いてアクリルゾル用樹脂微粉末の篩分を行った場合でも、ゆるく凝集した粉末がスクリーンを通過することなく、スクリーン上に残ってしまい、粗粉とともに排出されてしまうという問題があった。凝集粉は、本来は製品と回収されるべき微粉が凝集したものであり、これをほぐせば正常な製品として回収できる微粉となるものであるので、凝集粉がほぐれずに粗粉とともに排出されることは、製品の歩留まりに大きく影響する。
【０００５】
また、粉体から製品となる微粉を収率よく回収するためには、スクリーン上への粉体の供給速度を遅くし、篩分振動モードによる運転を長時間行うことによって、少ない粉体を長時間かけてじっくり篩分する必要があるが、これでは時間当たりの正常な製品となる微粉の回収量（生産量）が極端に落ちてしまう。一方、時間当たりの微粉の回収量を多くするために、スクリーン上への粉体の供給速度を速くすると、スクリーン上に滞留する粗粉の量が多くなり、スクリーンの目詰まりが起きやすくなって、篩分の効率が落ちてしまう。そこで、スクリーン上に滞留する粗粉の量を減らすために、排出振動モードによる運転時間を長くすると、粗粉とともに排出される微粉の量が多くなり、微粉の収率が悪くなる。
【特許文献１】特開平１１−３３４８８号公報
【発明の開示】
【発明が解決しようとする課題】
【０００６】
よって、本発明の目的は、粗粉とともに排出される微粉を低減することができ、かつ時間当たりの微粉の回収量を多くすることができる粉体篩分方法を提供することにある。
【課題を解決するための手段】
【０００７】
すなわち、本発明の粉体篩分方法は、加振手段による振動によって円形のスクリーン上の粉体を中心に向かって移動させる篩分振動モードと、加振手段による振動によって円形のスクリーン上の粉体を外周に向かって移動させて排出する排出振動モードとを有する篩分装置を用いた粉体篩分方法において、篩分振動モードによる運転時間Ｘと排出振動モードによる運転時間Ｙとが下記式（１）の条件を満たすように、篩分振動モードによる運転と排出振動モードによる運転とを交互に繰り返し、篩分振動モードによる運転の間、スクリーン面積当たりの平均供給速度が１０〜８０ｋｇ／（ｍｉｎ・ｍ2 ）となるように、スクリーン上に粉体を供給し、篩分振動モードによる運転および排出振動モードによる運転の間、前記加振手段による振動とは別に、スクリーン上の粉体に超音波による振動を与えることを特徴とする。
０．１３Ｘ0.33≦Ｙ≦０．２８５７Ｘ    （１）
【０００８】
このような粉体篩分方法は、体積平均粒子径が８０μｍ以下、嵩比重が０．４ｇ／ｃｃ以下のアクリルゾル用樹脂微粉末の篩分に好適である。
【発明の効果】
【０００９】
本発明の粉体篩分方法によれば、粗粉とともに排出される微粉を低減することができ、かつ時間当たりの微粉の回収量を多くすることができる。
【発明を実施するための最良の形態】
【００１０】
以下、本発明について詳細に説明する。
（篩分装置）
図１は、本発明の粉体篩分方法に用いられる篩分装置の一例を示す概略側面図（一部断面図）である。この篩分装置１０は、加振手段（図示略）が内蔵された円筒状の架台１２と、架台１２上に複数のスプリング１４を介して振動自在に支持された振動体ベース１６と、振動体ベース１６上に固定された篩本体１８と、超音波発振器２０とを具備して概略構成されるものである。
【００１１】
篩本体１８は、振動体ベース１６上に、下円筒枠２２、中円筒枠２４、スクリーン２６、上円筒枠２８、および蓋体３０が積み上げられて構成されるものである。
下円筒枠２２の底部には、スクリーン２６を通過した微粉を受ける円錐状の微粉受け３２が設けられ、側面には、微粉受け３２で受けた微粉を回収するための微粉回収口３４が設けられている。
上円筒枠２８の側面には、スクリーン２６上の粗粉を排出するための粗粉排出口３６が、図２に示すように、スクリーン２６の半径方向に対して時計回り方向に傾斜して設けられ、この粗粉排出口３６の入口には、スクリーン２６上を反時計回り方向に移動する粉体の粗粉排出口３６への侵入を阻止するガイド板３８が設けられている。
【００１２】
スクリーン２６の下面には、図２に示すように、スクリーン２６よりも小径の共振リング４０が設けられ、この共振リング４０には、超音波発振器２０からの超音波を超音波振動に変換する変換器４２が取り付けられている。超音波発振器２０からの超音波は、変換器４２によって超音波振動に変換され、この超音波振動が、共振リング４０で共振することにより、超音波振動がスクリーン２６上の粉体に与えられる。スクリーン２６としては、金属板に無数の孔を形成したもの、ステンレス等のワイヤを製織したものなどを用いることができる。
蓋体３０の中央には、粉体をスクリーン２６上に供給するための粉体供給口４４が設けられている。
【００１３】
加振手段は、例えば、振動体ベース１６の中央から下方に伸びるように振動体ベース１６に固定された軸受けと、軸受けに支持され、かつ上部が振動体ベース１６よりも上方に突き出した回転軸と、回転軸の上部および下部に、軸受けを挟むように、かつ回転軸に対して重心を偏心させて回動可能に取り付けられた上部ウエイトおよび下部ウエイトと、回転軸を回転させるモータとを具備するものである。
【００１４】
この加振手段において、上部ウエイトの重心と回転軸とを結ぶ線と、下部ウエイトの重心と回転軸とを結ぶ線とがなす角度を変更することにより、図３の矢印に示すような、スクリーン２６上の粉体を、反時計回りに旋回させながら中心に向かって移動させる篩分振動モードと、図４の矢印に示すような、加振手段による振動によってスクリーン２６上の粉体を、時計回りに旋回させながら外周に向かって移動させて排出する排出振動モードとを切り替えることができる。
【００１５】
加振手段による振動によって円形のスクリーン上の粉体を中心に向かって移動させる篩分振動モードと、加振手段による振動によって円形のスクリーン上の粉体を外周に向かって移動させて排出する排出振動モードとを有する篩分装置としては、例えば、（株）興和工業所製の円型振動ふるい機ＫＦＳＲ型などが挙げられる。
【００１６】
（粉体篩分方法）
次に、この篩分装置を用いた粉体篩分方法について説明する。
まず、篩分装置１０の運転を篩分振動モードにて開始し、同時に超音波発振器２０を稼働させて、スクリーン２６に超音波振動を与える。
ついで、粉体供給口４４から粉体をスクリーン２６上に所定の平均供給速度にて連続的または断続的に供給し、スクリーン２６上の粉体をスクリーン２６の中心に向かって移動させながら、微粉と粗粉との篩分を所定時間行う。スクリーン２６を通過した微粉は、微粉回収口３４より回収する。
【００１７】
篩分振動モードによる運転を所定時間行ったら、スクリーン２６上への粉体の供給を止め、篩分装置の運転を排出振動モードに切り替え、スクリーン２６上の粗粉をスクリーン２６の外周に向かって移動させ、粗粉排出口３６より排出する。
以上の篩分振動モードによる運転と、排出振動モードによる運転とを交互に繰り返す。篩分装置の運転中は、絶えず超音波発振器２０を稼働させて、スクリーン２６上の粉体に超音波振動を与える。
【００１８】
篩分振動モードによる運転時間Ｘ（以下、篩分時間Ｘと略す）および排出振動モードによる運転時間Ｙ（以下、排出時間Ｙと略す）は、下記式（１）の条件を満たすように設定される。
０．１３Ｘ0.33≦Ｙ≦０．２８５７Ｘ    （１）
【００１９】
排出時間Ｙが、０．１３Ｙ0.33よりも短い、すなわち、篩分時間Ｘおよび排出時間Ｙが、図５のグラフに示す直線Ｂよりも下の領域にある場合、スクリーン２６上に残留する粗粉は排出振動モードで運転する時間内に全て排出されない。このような状況になると、長期の連続運転をした場合、スクリーン２６上に残留する粗粉が徐々に増加し、スクリーン２６の目詰まりが起きやすくなって、篩分の効率が落ちてしまう。ここで、直線Ｂは、スクリーン２６上に残留する粗粉を、スクリーン２６の目詰まりが起きない程度に減らすために必要最低限の排出時間Ｙを示す直線であり、篩分時間Ｘが長くなるにつれて、スクリーン２６上に残留する粗粉の量も増え、これに伴い排出時間Ｙも長くなる。
【００２０】
排出時間Ｙが、０．２８５７Ｘよりも長い、すなわち、篩分時間Ｘおよび排出時間Ｙが、図５のグラフに示す直線Ａよりも上の領域にある場合、スクリーン２６上に残留する粗粉は排出振動モードで運転する時間内に全て排出されるが、篩分振動モードで運転する時の処理量が増加する。このような状況になると、篩分振動モードで運転している時の篩分け能力が低下し、連続運転をした場合の平均処理速度が低下する。
【００２１】
篩分振動モードによる運転の間、スクリーン２６上に供給される粉体の、スクリーン面積当たりの平均供給速度は、１０〜８０ｋｇ／（ｍｉｎ・ｍ2 ）とされる。スクリーン面積当たりの平均供給速度が１０ｋｇ／（ｍｉｎ・ｍ2 ）未満では、篩分される粉体の量が少なく、時間当たりの微粉の回収量を高くすることができない。スクリーン面積当たりの平均供給速度が８０ｋｇ／（ｍｉｎ・ｍ2 ）を超えると、スクリーン２６上に滞留する粉体の量が多くなり、粗粉とともに排出される微粉の量が多くなる。
【００２２】
（作用）
以上説明した粉体篩分方法にあっては、篩分時間Ｘと排出時間Ｙとが上記式（１）の条件を満たすように、篩分振動モードによる運転と排出振動モードによる運転とを交互に繰り返しているので、スクリーン２６上に残留する粗粉の量が多くなることがなく、スクリーン２６の目詰まりが起きにくい。よって、篩分の効率を落とすことなく、長時間安定して粉体の篩分を行うことができる。しかも、粗粉とともに排出される微粉の量が少なく、微粉の収率も高い。
【００２３】
また、篩分振動モードによる運転の間、スクリーン面積当たりの平均供給速度が１０〜８０ｋｇ／（ｍｉｎ・ｍ2 ）となるように、スクリーン２６上に粉体を供給しているので、粗粉とともに排出される微粉の量が少なく、微粉の収率も高い。しかも、微粉の収率を落とすことなく、時間当たりの微粉の回収量を高くすることができる。
【００２４】
また、篩分振動モードによる運転および排出振動モードによる運転の間、加振手段による振動とは別に、スクリーン２６上の粉体に超音波による振動を与えているので、粉体の篩分を行いつつ、微粉が凝集状態となっている凝集粉をほぐして微粉に戻すことができる。よって、凝集状態で粗粉とともに排出される微粉を低減することができ、微粉の収率をさらに高くすることができる。
【実施例】
【００２５】
以下、本発明を実施例によってさらに具体的に説明する。
乳化重合法にてメチルメタクリレート−ブチルメタクリレート共重合体ラテックスを得た。このラテックスを、加圧２流体ノズルを備えたスプレードライヤ（大川原化工機（株）製）を用い、入口温度１８０℃、出口温度７０℃のスプレードライヤ条件にて粉体とした。
得られた粉体は、嵩比重０．３ｇ／ｃｃ、体積平均粒子径４５μｍ、粒子径２０μｍ以下の微粉１６％であった。ここで、体積平均粒子径は、レーザー回折式粒度測定装置ＭＴ−３０００（マイクロトラック製）で測定した。
この粉体の篩分を図１に示すような構成を有する篩分装置（（株）興和工業所製、円型振動ふるい機ＫＦＳＲ−１２００、スクリーンサイズφ１２００ｍｍ、スクリーン目開き２５０μｍ）を用い、以下のようにして行った。
【００２６】
［実施例１］
まず、篩分装置の運転を篩分振動モードにて開始し、同時に超音波発振器２０（テルソニック社製）を、インバータ周波数５０Ｈｚにて稼働させた。篩分装置の運転中は、絶えず超音波発振器２０を稼働させて、スクリーン２６上の粉体に超音波振動を与えた。
篩分振動モードによる運転開始から３０秒後、スクリーン２６上への粉体の供給を開始した。粉体供給口４４から粉体をスクリーン２６上に３０００ｋｇ／ｈｒ［４４ｋｇ／（ｍｉｎ・ｍ2 ）］の平均供給速度にて連続的に供給し、スクリーン２６上の粉体をスクリーン２６の中心に向かって移動させながら、微粉と粗粉との篩分を３６分行った。スクリーン２６を通過した微粉は、微粉回収口３４より回収した。
【００２７】
篩分振動モードによる運転の終了３０秒前に、スクリーン２６上への粉体の供給を止めた。篩分装置の運転を排出振動モードに切り替え、スクリーン２６上の粗粉をスクリーン２６の外周に向かって移動させ、粗粉排出口３６より１．５分間排出した。排出時間Ｙ（１．５分）は、０．１３Ｘ0.33（０．４２分）と０．２８５７Ｘ（１０．２分）の間であった。
以上の篩分振動モードによる運転と、排出振動モードによる運転とを交互に繰り返し、３日間連続して運転を行った。平均回収量２８００ｋｇ／ｈｒで安定して連続運転できた。
【００２８】
［比較例１］
篩分時間Ｘを２０分、排出時間Ｙを１０秒に変更した以外は、実施例１と同様にして粉体の篩分を行った。排出時間Ｙ（０．１６７分）が、０．１３Ｘ0.33（０．３５分）より短かったため、粗粉がスクリーン２６上にしだいに増えていき、運転開始から２時間で、正常な篩分ができなくなって、微粉が多量に粗粉排出口３６から排出されるようになった。
【００２９】
［比較例２］
粉体の平均供給速度を５７００ｋｇ／ｈｒ［８４ｋｇ／（ｍｉｎ・ｍ2 ）］に変更した以外は、実施例１と同様にして粉体の篩分を行った。スクリーン２６上に滞留する粉体の量が多くなり、粗粉とともに排出される微粉の量が多くなった。
【産業上の利用可能性】
【００３０】
本発明の粉体篩分方法は、粗粉とともに排出される微粉を低減することができ、かつ時間当たりの微粉の回収量を多くすることができるので、粉体の生産量を増やすことができ、しかも歩留まりもよい。
【図面の簡単な説明】
【００３１】
【図１】本発明の粉体篩分方法に用いられる篩分装置の一例を示す概略側面図（一部断面図）である。篩分装置の一例を示す概略上面図である。
【図２】図１の篩分装置のスクリーンを上方から見た図である。
【図３】篩分振動モードにおける粉体の動きを示す図である。
【図４】排出振動モードにおける粉体の動きを示す図である。
【図５】本発明において設定される篩分時間Ｘおよび排出時間Ｙの範囲を示すグラフである。
【符号の説明】
【００３２】
１０  篩分装置
２６  スクリーン
【図１】
2005305386.tif 000003
【図２】
2005305386.tif 000004
【図３】
2005305386.tif 000005
【図４】
2005305386.tif 000006
【図５】
2005305386.tif 000007